(57)【特許請求の範囲】
【請求項１】
一の電源ラインと所定数の信号ラインそれぞれとの接続が所与の現示条件に応じて開閉制御されることで、各信号ラインの電圧で作動するリレーを有するＮ個の地上子の動作が制御される列車制御システムにおける前記地上子のリレー動作状況を監視する地上子監視装置であって、
前記現示条件の変化を検出する検出手段と、
前記一の電源ラインの電流を計測する電流センサからの電流計測値が、前記検出手段により現示条件が変化したと検出された後の当該現示条件と、前記信号ラインに接続されている前記地上子の数Ｎとに基づいて定められる切替時閾値条件を満たすか否かを判定し、満たさないと判定した場合に前記Ｎ個の地上子のリレー動作の異常と判定する監視手段と、
前記一の電源ラインの電圧を計測する電圧センサからの電圧計測値に基づいて、前記切替時閾値条件を所定の基準電圧に応じた条件に補正する手段と、
を備え、前記監視手段は、前記電流計測値が前記補正された前記切替時閾値条件を満たすか否かを判定する、地上子監視装置。
【請求項２】
一の電源ラインと所定数の信号ラインそれぞれとの接続が所与の現示条件に応じて開閉制御されることで、各信号ラインの電圧で作動するリレーを有するＮ個の地上子の動作が制御される列車制御システムにおける前記地上子のリレー動作状況を監視する地上子監視装置であって、
前記現示条件の変化を検出する検出手段と、
前記現示条件が変化した際に、前記一の電源ラインの電流を計測する電流センサからの電流計測値と、変化した後の現示条件と、前記信号ラインに接続されている前記地上子の数Ｎとに基づいて、前記Ｎ個の地上子のリレー動作の正常／異常を判断する切替時判断手段と、
前記現示条件に変化がない間、前記電流センサにより計測された過去直近所定数分の前記電流計測値の平均値である移動平均値に基づいて追従閾値範囲を設定することと、最新の前記電流計測値が前記追従閾値範囲内である場合に、前記Ｎ個の地上子のリレー動作を正常と判断するとともに当該最新の電流計測値を用いて前記追従閾値範囲を更新することと、最新の前記電流計測値が前記追従閾値範囲外である場合に、前記追従閾値範囲を更新せずに最新の前記電流計測値と前記追従閾値範囲との比較を継続し、前記追従閾値範囲外の状態が所定の継続条件を満たしたときに前記Ｎ個の地上子のリレー動作を異常と判断する追従時判断手段と、
を備えた地上子監視装置。
【発明の詳細な説明】
【技術分野】
【０００１】
本発明は、列車制御システムにおける地上子のリレー動作状況を監視する地上子監視装置に関する。
【背景技術】
【０００２】
例えば、列車制御システムの１つである地上子を用いたＡＴＳ（Automatic Train Stop）システムでは、線路上の信号機の外方に設置した地上子によって、車上側に信号現示情報を送信している。地上子は、信号ラインに電圧が印加されている場合に作動するリレーを有しており、このリレーの動作有無に応じて信号現示情報を変化させることで、車上側に信号現示情報を伝送している。地上子のリレーは、保守点検の必須項目である。しかし、地上子の設置場所に赴いて１つ１つの地上子を点検するのは手間であった。そこで、地上子のリレー動作状況を遠隔において監視可能な装置が種々考案されている（例えば特許文献１参照）。
【先行技術文献】
【特許文献】
【０００３】
【特許文献１】特許第２９３６０２１号公報
【発明の概要】
【発明が解決しようとする課題】
【０００４】
しかしながら、上述の特許文献１に開示されている地上子監視装置は、１つの地上子にのみ対応するため、遠隔監視対象の地上子の数だけの地上子監視装置が必要であった。また、監視できるのは停止現示であるか否かであるため、停止現示以外の現示を監視項目とする場合には、更に、監視項目とする現示数だけの地上子監視装置が必要であった。
【０００５】
本発明は、上記事情に鑑みてなされたものであり、その目的とするところは、複数の地上子を包括的に監視可能であり、且つ、複数現示に対応した地上子監視装置を提案することである。
【課題を解決するための手段】
【０００６】
上記課題を解決するための第１の形態は、
一の電源ライン（例えば、図１の電源ラインＬ１）と所定数の信号ライン（例えば、図１の信号ラインＬ２）それぞれとの接続が所与の現示条件に応じて開閉制御されることで、各信号ラインの電圧で作動するリレー（例えば、図１の電文切替リレーＱＲ１〜ＱＲ５）を有するＮ個の地上子（例えば、図１の地上子２０）の動作が制御される列車制御システムにおける前記地上子のリレー動作状況を監視する地上子監視装置（例えば、図１の地上子監視装置１０）であって、
前記一の電源ラインの電流を計測する電流センサからの電流計測値と、前記所与の現示条件と、前記信号ラインに接続されている前記地上子の数Ｎとに基づいて、前記Ｎ個の地上子のリレー動作の正常／異常を監視する監視手段（例えば、図２の切替時判断部２４０、或いは、追従時判断部２５０）、
を備えた地上子監視装置である。
【０００７】
第１の形態によれば、Ｎ個の地上子それぞれは、各信号ラインの電圧で作動するリレーを有しており、各信号ラインは、所与の現示条件に応じて開閉制御される。しかし、その信号ラインは、元々、一の電源ラインに接続されている。そこで、一の電源ラインの電流を計測する電流センサからの電流計測値と、現示条件と、地上子の数Ｎとに基づいて、Ｎ個の地上子のリレー動作の正常／異常を監視することができる。より具体的には、一の電源ラインには信号ラインが接続されており、Ｎ個の地上子のリレーはその信号ラインの電圧で作動するのであるから、現示条件と地上子の数Ｎとによれば、一の電源ラインに流れるべき電流が分かる。電流計測値が、この電流に適うか否かに基づけば、Ｎ個の地上子のリレー動作が全体として正常なのか、異常なのかを判定することが可能となる。
【０００８】
また、第２の形態として、第１の形態の地上子監視装置において、
前記所与の現示条件の変化を検出する検出手段（例えば、図２の現示条件判断部２３０）を更に備え、
前記監視手段は、
前記検出手段による検出がなされた後の所定タイミングにおいて、前記電流計測値が、変化後の現示条件と前記地上子の数Ｎとに基づいて定められる切替時閾値条件を満たすか否かを判定する切替時判定手段（例えば、図２の切替時判断部２４０、図５のステップＡ９）と、
前記切替時判定手段により満たさないと判定された場合に前記リレー動作の異常と判定する手段（例えば、図２の切替時判断部２４０、図５のステップＡ１１）と、
を有する地上子監視装置を構成することとしてもよい。
【０００９】
この第２の形態によれば、現示条件の変化が検出される。そして、変化が検出された後の所定タイミングにおいて、電流計測値が、変化後の現示条件と前記地上子の数Ｎとに基づいて定められる切替時閾値条件を満たすか否かが判定される。満たさないと判定された場合にはリレー動作の異常と判定される。現示条件が一定のままであると、温度等の環境に応じて、一の電源ラインに流れる電流が変化し得る。そこで、現示条件が変化した際に、電流計測値を切替時閾値条件と比較することでリレー動作の正常／異常を判定するのである。なお、変化が検出された後の所定タイミングは、現示条件の変化に伴う電流の過渡的な変動を回避することができればよいため、例えば所定秒数経過時点であると好適である。
【００１０】
但し、設備場所の環境に応じて一の電源ラインの電圧も変化し得る。そこで、第３の形態として、第２の形態の地上子監視装置において、
前記一の電源ラインの電圧を計測する電圧センサからの電圧計測値に基づいて、前記切替時閾値条件を所定の基準電圧に応じた条件に補正する手段（例えば、図２の切替時判断部２４０、図５のステップＡ７）を更に備え、
前記切替時判定手段は、前記補正された前記切替時閾値条件を満たすか否かを判定する（例えば、図２の切替時判断部２４０、図５のステップＡ９）、
地上子監視装置を構成することとしてもよい。
【００１１】
また、第４の形態として、第１〜第３の何れかの形態の地上子監視装置において、
前記監視手段は、
前記電流計測値が所与の追従閾値条件を満たすか否かを判定する追従判定手段（例えば、図２の追従時判断部２５０、図５のステップＡ１７）と、
前記所与の追従閾値条件を、前記追従判定手段により満たすと判定された過去の電流計測値に基づいて動的に補正する手段（例えば、図２の追従時判断部２５０、図５のステップＡ１３〜Ａ１５）と、
前記追従判定手段により満たさないと判定された状態が所定の継続条件を満たした場合に異常と判定する手段（例えば、図２の追従時判断部２５０、図５のステップＡ２７）と、
を有する地上子監視装置を構成することとしてもよい。
【００１２】
この第４の形態によれば、電流計測値が追従閾値条件を満たすか否かが判定され、満たさないと判定された状態が所定の継続条件を満たした場合に異常と判定される。また、追従閾値条件は、過去に追従閾値条件を満たすと判定された電流計測値に基づいて動的に補正される。従って、環境等によって一の電源ラインの電流が変動する場合にも、適正な閾値条件となるように追従閾値条件が補正されるため、地上子のリレー動作を常時監視可能となる。
【図面の簡単な説明】
【００１３】
【図１】地上子監視装置の接続例。
【図２】地上子監視装置の機能構成図。
【図３】切替閾値範囲定義テーブルのデータ構成例。
【図４】追従閾値範囲定義テーブルのデータ構成例。
【図５】地上子監視処理のフローチャート。
【発明を実施するための形態】
【００１４】
以下、図面を参照して、本発明をトランスポンダ式ＡＴＳシステムに適用した実施形態について説明する。但し、本発明の適用可能な実施形態がこれに限定されるものではない。
【００１５】
［構成］
図１は、本実施形態の地上子監視装置１０の接続状態を示す図である。地上子監視装置１０は、地上子２０が有する電文切替リレーＱＲの動作状況を監視する装置である。この地上子監視装置１０は、個々の信号機に対応して設置される複数台の地上子２０を監視可能である。
【００１６】
地上子２０は、例えばＡＴＳ−Ｐ地上子であり、信号現示条件に従って、最大６種類の電文を切り替えて送信することができる。すなわち、地上子２０は、それぞれに電文が対応付けられた５つの電文切替リレーＱＲ１〜ＱＲ５を有している。これらの電文切替リレーＱＲ１〜ＱＲ５は、地上子２０間で同じ電文切替リレーＱＲ同士が共通の信号ラインＬ２に接続されている。例えば、各地上子２０の電文切替リレーＱＲ１は、同じ信号ラインに並列に接続されているこことなる。本実施形態において、電文切替リレーＱＲは５つ（ＱＲ１〜ＱＲ５）としているため、信号ラインＬ２も５本存在する。
【００１７】
信号ラインＬ２は、それぞれ、現示条件接点ＨＲ１〜ＨＲ５を介して、電源電圧（２４Ｖ）が印加されている１本の電源ラインＬ１に並列に接続されている。現示条件接点ＨＲ１〜ＨＲ５は、不図示の制御装置によって現示条件に応じて開閉制御される。そして、現示条件接点ＨＲ１〜ＨＲ５の何れかが構成される（閉じられる）と、該当する信号ラインＬ２に電源電圧が印加され、当該信号ラインＬ２に接続されている電文切替リレーＱＲが励磁される。これにより信号現示情報が変更されて、現示条件に対応する電文が送信される仕組みとなっている。
【００１８】
地上子監視装置１０は、電圧入力端子１１と、電流入力端子１２と、接点入力端子１３と、接点出力端子１４とを有している。
【００１９】
電圧入力端子１１は、電源ラインＬ１に接続されており、電源ラインＬ１の印加電圧が入力される。電流入力端子１２は、電源ラインＬ１に設けられた電流センサ３０に接続され、この電流センサ３０によって計測された直流電流値（電流計測値）が入力される。従って、電流センサ３０は、現示条件接点ＨＲ１〜ＨＲ５それぞれに流れる電流の総和を計測することになる。また、現示条件接点ＨＲ１〜ＨＲ５は並列接続されているため、電流センサ３０にて計測される電流値は、地上子２０の接続数Ｎに応じた値となる。
【００２０】
接点入力端子１３には、現示条件接点ＨＲ１〜ＨＲ５の構成状態（打上／落下）が入力される。
【００２１】
そして、地上子監視装置１０は、地上子２０が有する電文切替リレーＱＲの監視状態に応じて接点出力端子１４の構成を変化させることで、監視状態を外部に出力する。すなわち、何れの電文切替リレーＱＲも異常が検出されていないとき（正常時）には、接点出力端子１４を導通（扛上）として構成し、何れかの電文切替リレーＱＲの異常が検出されると、非導通（落下）として構成する。
【００２２】
図２は、地上子監視装置１０の機能構成を示すブロック図である。地上子監視装置１０は、機能的には、操作部１１０と、表示部１２０と、接点入力回路１３０と、接点出力回路１４０と、処理部２００と、記憶部３００とを有している。
【００２３】
操作部１１０は、例えばタッチパネルやボタンスイッチ等の入力装置で実現され、ユーザの操作入力に応じた操作信号を処理部２００に出力する。表示部１２０は、例えばＬＣＤ（Liquid Crystal Display）等の表示装置で実現され、処理部２００からの表示信号に応じた各種表示を行う。
【００２４】
接点入力回路１３０は、接点入力端子１３に接続されている現示条件接点ＨＲ１〜ＨＲ５それぞれの構成状態（扛上／落下）を示す信号（接点入力信号）を生成して処理部２００に出力する。接点出力回路１４０は、処理部２００から入力される異常検出信号に従って、接点出力端子１４の導通／非導通状態を変化させる。具体的には、正常時には導通（扛上）とし、異常時には非導通（落下）とする。
【００２５】
処理部２００は、例えばＣＰＵ等の演算装置で実現され、記憶部３００に記憶されたプログラムやデータ等に基づいて、地上子監視装置１０の全体制御を行う。本実施形態では、処理部２００は、電圧取り込み部２１０と、電流取り込み部２２０と、現示条件判断部２３０と、切替時判断部２４０と、追従時判断部２５０とを有し、地上子監視プログラム３１０に従った地上子監視処理（図５参照）を実行する。
【００２６】
電圧取り込み部２１０は、所定時間（例えば、１００ｍｓ）毎に、電圧入力端子１１間の入力電圧を取り込み、電圧計測値として、デジタル値に変換する。取り込まれた電圧計測値は、電圧計測値蓄積データ３３０として蓄積記憶される。電流取り込み部２２０は、所定時間（例えば、１００ｍｓ）毎に、電流入力端子１２から入力される電流計測値を取り込み、デジタル値に変換する。取り込まれた電流計測値は、電流計測値蓄積データ３４０として蓄積記憶される。
【００２７】
現示条件判断部２３０は、接点入力回路１３０から入力される接点入力信号から、現在の現示条件を判断する。
【００２８】
切替時判断部２４０は、現示条件判断部２３０によって判断される現示条件の切り替わり時に、地上子２０の電文切替リレーの異常の有無を判断する。具体的には、電流計測値が切替閾値範囲外である場合に、異常有りと判断する。切替閾値範囲は、地上子２０の接続数Ｎに応じて決まり、切替閾値定義テーブル３５０にて定められている。
【００２９】
図３は、切替閾値定義テーブル３５０のデータ構成の一例を示す図である。切替閾値定義テーブル３５０は、地上子２０の接続数３５１それぞれに、切替閾値範囲の上限値である切替上限閾値３５２と、下限値である切替下限閾値３５３とを対応付けて格納している。図１に示したように、監視対象の地上子２０それぞれは、電源ラインＬ１に対して並列に接続される構成となる。このため、切替閾値定義テーブル３５０において、切替閾値範囲は、１台の地上子２０が接続された場合に想定される電流値を、地上子２０の接続数ＮであるＮ倍した値を含む範囲となるように定められている。更に、環境温度等による電流変動を考慮して、地上子２０の接続数Ｎが多いほど、切替閾値範囲（切替上限閾値と切替下限閾値との差）が広くなるように定められている。
【００３０】
また、切替閾値定義テーブル３５０における切替閾値範囲は、電源電圧が所定の基準電圧（例えば、２４Ｖ）であると想定して定められている。このため、この電文切替リレーの基準電圧Ｖ０と電圧計測値Ｖｍとの比に応じて、次式（１ａ），（１ｂ）のように、切替閾値定義テーブル３５０で定められる切替閾値範囲の切替上限閾値値ＩＴＨｕ０及び切替下限閾値ＩＴＨｄ０を、基準電圧Ｖ０に相当する値ＩＴＨｕ，ＩＴＨｄに換算する。
ＩＴＨｕ＝ＩｍＴＨｕ０×（Ｖｍ／Ｖ０）    ・・（１ａ）
ＩＴＨｄ＝ＩｍＴＨｄ０×（Ｖｍ／Ｖ０）    ・・（１ｂ）
【００３１】
またこのとき、現示条件の切り替わり時の電流変動の影響を考慮して、現示条件の切り替わりから所定時間（例えば、５秒）経過後の電流計測値を用いて、切替閾値範囲との比較を行い、電文切替リレーの異常の有無を判断する。
【００３２】
追従時判断部２５０は、現示条件判断部２３０によって判断される現示条件に変化がないときに、地上子２０が有する電文切替リレーの異常の有無を判断する。具体的には、最新の電流計測値が追従閾値範囲外である状態が所定時間（例えば、５秒）継続された場合に、異常有りと判断する。追従閾値範囲は、過去の電流計測値に応じて定められる。すなわち、過去であって直近の所定数（ｎ個）の電流計測値の平均値である移動平均値ＭＡを算出する。そして、この移動平均値ＭＡより所定の下限幅だけ小さい値を追従下限閾値とし、移動平均値ＭＡより所定の上限幅だけ大きい値を追従上限閾値として、追従閾値範囲を設定する。つまり、追従閾値範囲を動的に補正するように機能する。
【００３３】
ここで、追従閾値範囲を定める下限幅及び上限幅は、追従閾値定義テーブル３７０にて定められている。図４は、追従閾値定義テーブル３７０のデータ構成の一例を示す図である。追従閾値定義テーブル３７０は、上限幅３７１と、下限幅３７２とを格納している。設定された追従閾値範囲は、追従閾値範囲データ３８０として記憶される。
【００３４】
追従時判断部２５０は、所定時間（例えば、１００ｍｓ）毎に、追従閾値範囲の設定（更新）、及び、最新の電流計測値と追従閾値範囲との比較を繰り返し行う。そして、最新の電流計測値が追従閾値範囲外となったならば、以降は、追従閾値範囲の更新は行わずに最新の電流計測値と追従閾値範囲との比較を行い、電流計測値が追従閾値範囲外である状態が所定時間（例えば、５秒）継続されたならば、異常有りと判断する。
【００３５】
この追従閾値範囲外である状態が所定時間（例えば、５秒）継続することは継続条件の一例であり、例えば所定時間ではなく、所定回数継続された場合とすることもできる。また、電流計測値が追従閾値範囲外である状態から、所定時間（例えば、５秒）以内に追従閾値範囲内に戻った場合には、追従閾値範囲外であった電流計測値を除いて、移動平均値ＭＡの算出・追従閾値範囲の更新を再開する。
【００３６】
記憶部３００は、ＲＯＭやＲＡＭ等の記憶装置で実現され、処理部２００が地上子監視装置１０を統合的に制御するためのプログラムやデータ等を記憶しているとともに、処理部２００の作業領域として用いられ、処理部２００が実行した演算結果や、入力データ等が一時的に格納される。本実施形態では、地上子監視プログラム３１０と、地上子接続数データ３２０と、電圧計測値蓄積データ３３０と、電流計測値蓄積データ３４０と、切替閾値定義テーブル３５０と、切替閾値範囲データ３６０と、追従閾値定義テーブル３７０と、追従閾値範囲データ３８０とが記憶される。
【００３７】
［動作］
図５は、地上子監視処理の流れを説明するフローチャートである。この処理は、処理部２００が記憶部３００の地上子監視プログラム３１０を読み出して実行することで実現される。
【００３８】
地上子監視処理では、先ず、地上子２０の接続数Ｎを設定する（ステップＡ１）。この地上子２０の接続数Ｎは、地上子監視装置１０がケーブルの接続有無等によって自動的に判断することにしても良いし、使用者が操作部１１０から入力することにしても良い。次いで、切替時判断部２４０が、地上子２０の接続数Ｎをもとに、切替閾値定義テーブル３５０を参照して、切替閾値範囲（切替下限閾値／切替上限閾値）を設定する（ステップＡ３）。
【００３９】
続いて現示条件が変化したか否かを判断する。現示条件が変化したならば（ステップＡ５：ＹＥＳ）、切替時判断部２４０による切替時判断処理を行う。すなわち、所定時間（例えば、５秒）が経過した後、最新の電圧計測値を用いて、切替閾値範囲を補正する（ステップＡ７）。次いで、最新の電流計測値と補正後の切替閾値範囲とを比較する（ステップＡ９）。その結果、電流計測値が切替閾値範囲内ならば（ステップＡ１１：ＮＯ）、電文切替リレーＱＲは異常無しと判断して、ステップＡ５に戻る。電流計測値が切替範囲外ならば（ステップＡ１１：ＹＥＳ）、電文切替リレーＱＲに異常有りと判断する（ステップＡ２９）。
【００４０】
一方、現示条件が変化していないならば（ステップＡ５：ＮＯ）、続いて、追従時判断部２５０が、追従時判断処理を行う。すなわち、直近の所定数（ｎ個）の電流計測値の平均値である移動平均値ＭＡを算出し（ステップＡ１３）、追従閾値定義テーブル３７０を参照して、追従閾値範囲（追従下限閾値／追従上限閾値）を設定（更新）する（ステップＡ１５）。次いで、最新の電流計測値と、追従閾値範囲とを比較する（ステップＡ１７）。
【００４１】
その結果、電流計測値が追従閾値範囲外ならば（ステップＡ１９：ＹＥＳ）、電流計測値が追従閾値範囲外である状態が継続された時間である範囲外継続時間の計時を開始する（ステップＡ２１）。続いて、例えば、電流取り込み部２２０によって新たな電流計測値が取り込まれる毎に、最新の電流計測値と追従閾値範囲との比較を行う（ステップＡ２３）。そして、範囲外継続時間が所定時間（例えば、５秒）に達する前に（ステップＡ２７：ＮＯ）、電流計測値が追従閾値範囲内となったならば（ステップＡ２５：ＮＯ）、電文切替リレーＱＲは異常無しと判断して、範囲外継続時間の計時を中止してステップＡ５に戻る。
【００４２】
一方、電流計測値が追従閾値範囲外のまま、範囲外継続時間が所定時間（例えば、５秒）に達したならば（ステップＡ２７：ＹＥＳ）、電文切替リレーＱＲに異常有りと判断する（ステップＡ２９）。地上子監視処理は、このように行われる。
【００４３】
［作用効果］
本実施形態の地上子監視装置１０によれば、複数の地上子２０それぞれが有する電文切替リレーの動作状態を包括的に監視し、監視対象の地上子２０の何れかの異常の発生を検出することができる。また、複数の現示に対応可能である。
【００４４】
すなわち、現示条件の切り替わり時には、地上子２０の接続数Ｎによって定める切替閾値範囲を用いて、地上子２０の電文切替リレーＱＲの異常の有無を判断する。つまり、地上子２０は電源ラインＬ１に対して並列接続されているため、地上子２０の接続数Ｎによって、電源ラインＬ１に流れる電流が異なる。また、現示条件に応じて電源電圧が印加される信号ラインＬ２が変わり、励磁される電文切替リレーＱＲも変化する。このため、現示条件の切り替わり後の電流が、地上子２０の接続数Ｎ及び現示条件に応じた電流となっているか否かに応じて、切り替わり後の現示条件に対応する電文切替リレーが正常であるか否かを判断することができる。
【００４５】
また、現示条件が変化していないときには、所定期間の間の電流計測値によって定める追従閾値範囲を用いて、地上子２０の電文切替リレーＱＲの異常の有無を判断する。電流は、温度等の環境に応じて変動し得る。このため、電流の変動に着目することで、常時、電文切替リレーＱＲの異常の発生を検出することができる。
【００４６】
［変形例］
なお、本発明の適用可能な実施形態は上述の実施形態に限定されることなく、本発明の趣旨を逸脱しない範囲で適宜変更可能なのは勿論である。
【００４７】
（Ａ）移動平均値ＭＡの算出
上述の実施形態では、追従閾値範囲の設定の際に、直近の過去の所定数（ｎ個）の電流計測値の平均値である移動平均値ＭＡを用いることとしたが、これに限らない。例えば、現示条件の切り替わり直後等の電流計測値が所定数（ｎ個）に満たない場合には、これらの所定数（ｎ個）未満の電流計測値の平均値を移動平均値ＭＡとして用いれば良い。また、複数の電流計測値の平均値ではなく、例えば直前の１個の電流計測値を移動平均値ＭＡとして用いても良い。また、移動平均値ＭＡの算出には、電文切替リレーＱＲに異常無しと判断したときの電流計測値のみを用いることにしても良い。また、移動平均ではなく、加重平均を採用しても良い。その場合には、時間的に現在に近いほど重みを大きくすることにしても良い。
【符号の説明】
【００４８】
１０  地上子監視装置
１１  電圧入力端子、１２  電流入力端子、１３  接点入力端子、１４  接点出力端子
１１０  表示部、１２０  操作部、１３０  接点入力回路、１４０  接点出力回路
２００  処理部
２１０  電圧取り込み部、２２０  電流取り込み部
２３０  現示条件判断部、２４０  切替時判断部、２５０  追従時判断部
３００  記憶部
３１０  地上子監視プログラム、３２０  地上子接続数データ
３３０  電圧計測値蓄積データ、３４０  電流計測値蓄積データ
３５０  切替閾値定義テーブル、３６０  切替閾値範囲データ
３７０  追従閾値定義テーブル、３８０  追従閾値範囲データ
２０  地上子
ＱＲ（ＱＲ１〜ＱＲ５）  電文切替リレー
Ｌ１  電源ライン、Ｌ２  信号ライン
３０  電流センサ
【図１】
0005891056.tif 000002
【図２】
0005891056.tif 000003
【図３】
0005891056.tif 000004
【図４】
0005891056.tif 000005
【図５】
0005891056.tif 000006